(57)【要約】【課題】印刷文書に対する広告課金を適切に行う。【解決手段】広告課金装置１は、印刷物への埋込コードに、参照情報、ページＩＤ、文書ＩＤ、ブックＩＤ及びアクセスカウンタをそれぞれ対応させて保持する管理テーブル１２を有している。読出機能処理部１４は、クライアントからの読出要求に指定されている埋込コードに対応する参照情報を管理テーブル１２から読み出し返送すると共に、読出要求に指定されていた埋込コードに対応するアクセスカウンタをアクセス管理部１９により加算する。課金処理部１８は、一定期間毎に課金処理を実行するが、このとき、埋込コードのアクセスカウンタをページ単位に集計し、その集計したアクセス総数に基づき各ページに広告を掲載した広告主に対する広告料を算出する。【選択図】        図３
2004355535.tif 000002
【特許請求の範囲】
【請求項１】
情報識別コードと、当該情報識別コードが印刷されたページの識別データと、当該情報識別コードの読取回数とを対応付けして保持する管理テーブルを記憶するアクセス情報記憶手段と、
印刷された各ページに対して広告を掲載した広告主を特定可能に保持する広告主情報記憶手段と、
印刷文書に付加されている情報識別コードが読取手段により読み取られたときに、前記管理テーブルにおける当該情報識別コードの読取回数を加算するアクセス管理手段と、
前記管理テーブルに保持管理されている情報識別コードの読取回数をページ単位に積算することで得たアクセス総数に基づいて課金処理を実行する課金処理手段と、
を有することを特徴とする広告課金装置。
【請求項２】
請求項１に記載の広告課金装置において、
ページを予め決められた規則に従いグループ化したとき、各情報識別コードには、当該情報識別コードが印刷されたページが属するグループの識別データが対応付けされて前記管理テーブルに保持されており、
前記課金処理手段は、情報識別コードの読取回数をグループ単位に積算することで得たアクセス総数に基づいて課金処理を実行することを特徴とする広告課金装置。
【請求項３】
請求項１又は２に記載の広告課金装置において、
前記課金処理手段は、情報識別コードを対応付ける要素に応じて各情報識別コードの読取回数に重み付けをすることを特徴とする広告課金装置。
【請求項４】
印刷文書に付加されている情報識別コードが読取手段により読み取られたときに、情報識別コードと当該情報識別コードが印刷されたページの識別データと当該情報識別コードの読取回数とを対応付けして保持する管理テーブルにおける当該読み取られた情報識別コードの読取回数を加算するアクセス管理ステップと、
予め決められた一定期間毎に、前記管理テーブルに保持管理されている情報識別コードの読取回数をページ単位に積算することで得たアクセス総数に基づいて課金処理を実行する課金ステップと、
を含むことを特徴とする広告課金方法。
【請求項５】
広告課金装置において実行され、
印刷文書に付加されている情報識別コードが読取手段により読み取られたときに、情報識別コードと当該情報識別コードが印刷されたページの識別データと当該情報識別コードの読取回数とを対応付けして保持する管理テーブルにおける当該読み取られた情報識別コードの読取回数を加算するアクセス管理ステップと、
前記管理テーブルに保持管理されている情報識別コードの読取回数をページ単位に積算することで得たアクセス総数に基づいて課金処理を実行する課金ステップと、
を実行することを特徴とする広告課金プログラム。
【発明の詳細な説明】
【０００１】
【発明の属する技術分野】
本発明は広告課金装置、特に印刷された文書に広告を掲載した広告主に対して有効に課金を行うことのできる広告課金方式に関する。
【０００２】
【従来の技術】
ハイパーテキスト技術を利用することにより、ユーザは、電子文書中のリンクしてある語句等の要素をマウスクリックするだけで当該要素に関連するデータを検索、表示させることができる。例えば、要素が企業名を示す文字列の場合、その企業名の表示位置に当該企業のホームページのＵＲＬ（Ｕｎｉｆｏｒｍ  Ｒｅｓｏｕｒｃｅ  Ｌｏｃａｔｏｒｓ）を関連づけておくことによって、その企業名が選択されたときには当該企業のホームページを画面表示させることができる。また、要素が専門用語を示す文字列の場合、その専門用語の表示位置に、その専門用語を説明した情報そのもの若しくは当該専門用語を解説したページのＵＲＬを関連づけておくことによって、ユーザは、その専門用語を選択操作することで当該専門用語の意味を知ることができる。このように、画面表示される要素に対して、選択されると参照可能な情報を関連付けておくことによって、ユーザに関連した情報やより詳細な情報を提供することができる。
【０００３】
ところで、情報を表示するページには、目的とする情報と共にその情報を提供する企業以外の広告が掲載されている場合が少なくない。これは、ページ上のバナー広告等の広告主との契約に基づき、情報提供者が広告主から広告料を徴収することで収益が見込めるからである。ただ、相対的にアクセス数の多い情報は、少ない情報と比較して目に触れる機会が多いため、情報に対するアクセス数に関係なく広告料を広告主から一律に徴収すると公平感に欠ける。そこで、アクセス数に応じた広告料を徴収するという従量課金が一般的に採用されている。
【０００４】
従来においては、画面表示されるページに複数の広告（例えばバナー広告）が掲載されている場合、ページが画面表示されたときには当該ページ上の広告はユーザの目に触れたものとみなして当該ページに広告を掲載した広告主全てに課金する課金方法や、あるいはバナー広告の選択回数によって個別に課金する課金方法が採用されていた。電子文書の提供側は、電子文書中のリンクしてある要素が選択されたことによって広告が掲載されたページが表示されたことを認識することができるので、この要素の選択回数を監視しておけば、従量課金を行うことが可能になる。
【０００５】
【特許文献１】
特願２００２−１８０５１８号
【０００６】
【発明が解決しようとする課題】
しかしながら、従来において従量課金が採用できるのは、画面表示された電子文書中のリンクしてある要素が選択されたことを認識することができるからであり、電子文書が印刷されてしまえば、広告が見られたか否かを確認することはできない。つまり、広告主からアクセス頻度に応じた広告料の徴収を行うことはできない。
【０００７】
本発明は以上のような問題を解決するためになされたものであり、その目的は、印刷文書に対する広告課金を適切に行うことのできる広告課金装置を提供することにある。
【０００８】
【課題を解決するための手段】
以上のような目的を達成するために、本発明に係る広告課金装置は、情報識別コードと、当該情報識別コードが印刷されたページの識別データと、当該情報識別コードの読取回数とを対応付けして保持する管理テーブルを記憶するアクセス情報記憶手段と、印刷された各ページに対して広告を掲載した広告主を特定可能に保持する広告主情報記憶手段と、印刷文書に付加されている情報識別コードが読取手段により読み取られたときに、前記管理テーブルにおける当該情報識別コードの読取回数を加算するアクセス管理手段と、前記管理テーブルに保持管理されている情報識別コードの読取回数をページ単位に積算することで得たアクセス総数に基づいて課金処理を実行する課金処理手段とを有することを特徴とする。
【０００９】
また、ページを予め決められた規則に従いグループ化したとき、各情報識別コードには、当該情報識別コードが印刷されたページが属するグループの識別データが対応付けされて前記管理テーブルに保持されており、前記課金処理手段は、情報識別コードの読取回数をグループ単位に積算することで得たアクセス総数に基づいて課金処理を実行することを特徴とする。
【００１０】
また、前記課金処理手段は、情報識別コードを対応付ける要素に応じて各情報識別コードの読取回数に重み付けをすることを特徴とする。
【００１１】
本発明に係る広告課金方法は、印刷文書に付加されている情報識別コードが読取手段により読み取られたときに、情報識別コードと当該情報識別コードが印刷されたページの識別データと当該情報識別コードの読取回数とを対応付けして保持する管理テーブルにおける当該読み取られた情報識別コードの読取回数を加算するアクセス管理ステップと、予め決められた一定期間毎に、前記管理テーブルに保持管理されている情報識別コードの読取回数をページ単位に積算することで得たアクセス総数に基づいて課金処理を実行する課金ステップとを含むことを特徴とする。
【００１２】
本発明に係る広告課金プログラムは、広告課金装置において実行され、印刷文書に付加されている情報識別コードが読取手段により読み取られたときに、情報識別コードと当該情報識別コードが印刷されたページの識別データと当該情報識別コードの読取回数とを対応付けして保持する管理テーブルにおける当該読み取られた情報識別コードの読取回数を加算するアクセス管理ステップと、前記管理テーブルに保持管理されている情報識別コードの読取回数をページ単位に積算することで得たアクセス総数に基づいて課金処理を実行する課金ステップとを実行することを特徴とする。
【００１３】
【発明の実施の形態】
以下、図面に基づいて、本発明の好適な実施の形態について説明する。
【００１４】
前述したように、通常、電子文書中のリンクしてある要素が選択されたことを認識することができるのは、電子文書を画面上に表示し、その表示された電子文書に含まれるいずれかの要素の選択というユーザ行為をアプリケーションにより検出させることができるからである。従って、電子文書が印刷されてしまえば要素選択という行為を検出することはできず、また、要素に関連した情報を取得することもできない。そこで、本願出願人は、用紙に埋込情報を埋め込むことで文書に含まれる要素に関連した情報を取得できるようにした（特許文献１参照）。本実施の形態は、この技術を利用して電子文書が印刷されたときでも要素が選択されたことを認識できるようにした。
【００１５】
図１には、埋込情報を管理するサーバ１と、文書を参照するユーザが使用するクライアント２とがＬＡＮ（Ｌｏｃａｌ  Ａｒｅａ  Ｎｅｔｗｏｒｋ）３により接続されたシステム構成図が示されている。このサーバ１が本発明の広告課金装置に相当する。埋込情報は、文書データに含まれる要素に関連づけられた情報それぞれにユニークに割り当てられた識別コードである。以降では、これを埋め込みコードと呼ぶ。実際に埋め込みたい情報は、埋め込みコードとの組で管理テーブルで管理し、この管理テーブルは、サーバ１で管理する。埋め込みコードが埋め込まれた画像をスキャンし、解釈して、埋め込みコードを算出し、管理テーブルから埋め込みコードとの組で管理されている情報を取り出すことで、実際に埋め込みたい情報を取得する。実際に埋め込みたい情報を参照情報と呼ぶ。埋込コードは、特許文献１における付加情報に相当する。図２は、埋込コードが埋め込まれた印刷文書を示した概略図であり、２ページ分を示している。特許文献１に開示された技術を利用すれば、参照情報が関連づけられた要素の印字位置に重複させて埋込コード６を印刷することができ、また、埋込コード６が重畳印刷された文字は判読可能である。図２では、「Ｆ社」、「フィニッシャー」等の語句からなる要素、また広告９という要素にも埋込コードが割り付けられている。
【００１６】
ユーザが専用のアプリケーションを起動し、クライアント２に接続されたスキャナ４を用いて用紙５に埋め込まれているいずれかの埋込コードが埋め込まれた画像をスキャンすると、クライアント２の上記専用のアプリケーションは、埋込コードを含む読出要求をサーバ１へ送信する。サーバ１には、埋込コードと参照情報が対応付けされて予め登録されており、サーバ１は、読出要求に含まれている埋込コードに基づき参照情報を読み出し、クライアント２へ返送する。
【００１７】
クライアント２は、入手した参照情報をクライアント２のアプリケーションプログラム等で処理が可能となる。例えば、参照情報としてＵＲＬ（Ｕｎｉｆｏｒｍ  Ｒｅｓｏｕｒｃｅ  Ｌｏｃａｔｏｒｓ）を扱うシステムの場合には、入手した参照情報を用いてブラウザを起動するようなアプリケーションを作成しておけば、埋め込みコードが埋め込まれた画像情報をスキャンするだけで、参照情報に設定されているＵＲＬ先のホームページを表示することができる。従って、例えば図２で、クライアント２のユーザは、印刷された文書から埋め込み情報を含む画像”Ｆ社”をスキャンするだけで、ＬＡＮ３、ファイアーウォール７、インターネット８を経由して当該企業の情報を取得し参照することができる。また、専門用語には、一般に当該用語を解説した情報そのもの若しくは当該用語を解説したページのＵＲＬが参照情報として設定されているので、ユーザは、その専門用語をスキャンすることによって当該用語の意味を知ることができる。また、広告９には実際の広告の内容が掲載されているが、ユーザが更に詳細な広告の内容が見たければ、広告９に対応した埋込コードが埋め込まれた画像をスキャンすることになる。例えば、広告９にはキャンペーン中というお知らせが掲載されており、そのキャンペーンの詳細を知りたいときには当該広告９に対応付けされた埋込コードが埋め込まれた画像をスキャンすればよい。
【００１８】
このように、ユーザは、知りたい情報に対応する埋込コードが埋め込まれた画像をスキャンすることによって当該情報を参照することができる。ユーザは、埋込コードが埋め込まれた画像をスキャンするには、その埋込コードが埋め込まれている用紙を見ているはずである。文書が製本されているのであれば、その冊子の該当するページを開いているはずである。そのユーザが見ているページに広告が掲載されていれば、ユーザは広告を目視可能であることから「広告を見た」とみなすことができる。
【００１９】
図３は、本実施の形態における広告課金装置のブロック構成図である。本実施の形態における広告課金装置は、サーバ１によって実現され、管理テーブル１２、読出機能処理部１４、課金処理部１６及びページ広告主対応テーブル１８を有している。管理テーブル１２には、埋込コードに参照情報、ページＩＤ、文書ＩＤ、ブックＩＤ及びアクセスカウンタがそれぞれ対応させて登録されている。サーバ１は、この管理テーブル１２をメモリ若しくはディスク等に記憶して埋込コード等の情報を保持管理している。読出機能処理部１４は、クライアント２からの読出要求に指定されている埋込コードに対応する参照情報等を管理テーブル１２から読み出して返送する。更に、読出機能処理部１４は、返送と同時に当該埋込コードのアクセスカウンタをカウントアップするアクセス管理部１９を有している。アクセスカウンタの数は、埋込コードが埋め込まれた画像がスキャナ４によって読み取られた読取回数と等しい。ページ広告主対応テーブル１８には、各ページに広告を掲載した広告主がわかるように、ページＩＤに広告主ＩＤを対応させて登録されている。課金処理部１６は、管理テーブル１２及びページ広告主対応テーブル１８を参照して各広告主から徴収する広告料を算出する課金処理を実行する。
【００２０】
ここで、埋込コード及び参照情報と共に管理テーブル１２により保持管理されるページＩＤ、文書ＩＤ及びブックＩＤについて説明する。
【００２１】
本実施の形態においては、埋込コード及び参照情報を管理するのに、ページ、文書及びブックという概念を用いることを特徴としている。ページというのは、画面や用紙に出力される単位である。１ページには、複数の埋込コードが埋込可能である。文書は、１乃至複数のページで構成される。管理上、ファイル単位に形成することが便宜であるが、これに限定するものではなく、例えば、複数のページにまたがる章、節あるいは特集記事を一文書という単位でくくるようにしてもよい。ブックは、１乃至複数の文書により形成される。例えば、ブックを電子百科事典としたならば、文書は章やテーマに相当し、ページは印刷したときの１ページに相当する。なお、本実施の形態では、埋込コードをページ、文書、ブックという各グループ単位で管理することを特徴とする。ブックは文書とページを、文書はページをそれぞれ含むという階層関係にあるため、各埋込コードは、管理テーブル１２のデータ構造から明らかなように原則ページ、文書及びブックのいずれのグループにも属することになる。
【００２２】
管理テーブル１２により保持されるアクセスカウンタ以外の情報は、サーバ１クライアント２とが連係して事前に登録しておく必要がある。これは、例えば、本願出願人による本願と同日の特許出願（発明の名称：「情報処理装置、情報処理方法、情報処理プログラム、情報端末装置」）に記載された情報登録方法を用いればよい。この情報登録処理については、本発明の特徴事項ではないので説明を省略し、管理テーブル１２がすでに生成されているものとする。
【００２３】
次に、本実施の形態におけるサーバ１の動作について説明する。なお、課金処理実行により広告料の算出を一定期間、例えば一月毎に行うとした場合、アクセスカウンタは、先月の課金処理終了後、各月初めに初期化される。
【００２４】
ユーザが前述した所定のアプリケーションを起動し、クライアント２に接続されたスキャナ４を用いて用紙５に埋め込まれているいずれかの埋込コードが埋め込まれた画像をスキャンすると、上記アプリケーションは、埋込コードを含む読出要求をサーバ１へ送信する。
【００２５】
サーバ１において、読出機能処理部１４は、クライアント２から送られてきた読出要求を受信すると、その読出要求に指定されている埋込コードに対応する参照情報を管理テーブル１２から読み出す。そして、読出要求を発信したクライアント２へ参照情報を返送する。更に、読出機能処理部１４は、読出要求に指定されていた埋込コードに対応するアクセスカウンタをアクセス管理部１９により加算する。以上のように、読出機能処理部１４は、クライアント２により読出要求が送られてくるたびに、その読出要求に指定されてくる埋込コードに対応するアクセスカウンタを加算する。なお、参照情報の返送とアクセスカウンタのカウントアップは、どちらが先でもよい。
【００２６】
次に、予め設定された一定期間（上記例でいう月）毎に課金処理部１８が実行する課金処理について説明する。課金処理部１８は、アクセス頻度に応じて広告料を徴収する従量課金を採用するが、ここで埋込コードの読取と課金対象となる広告との関係について説明する。
【００２７】
埋込コードが埋め込まれている電子雑誌を実際にプリントアウトして冊子にしたとする。ユーザが印刷した雑誌のいずれかのページの埋込コードが埋め込まれた画像をスキャンするには、その埋込コードが埋め込まれているページを開かなければならない。そして、そのユーザが見ているページに広告が掲載されていれば、ユーザはその広告が視認可能であるために広告を見たとみなすことができるので、当該ページに広告を掲載した広告主からは広告料を正当に徴収することができると考えられる。つまり、埋込コードの読取操作を検出することで広告が見られたか否かを把握することができ、また、その読取回数をカウントしていくことによって当該ページの視認回数を把握することができる。これにより、従量課金が可能になる。
【００２８】
ただ、埋込コードが埋め込まれた画像がスキャンされなければ広告の正確な視認回数は得ることができないが、このことはいずれのページに対しても同じことがいえることから条件は等しいと考えられる。つまり、埋込コードが埋め込まれた画像の読取回数が相対的に多いページに掲載された広告は、相対的に多く見られていると言うことができる。
【００２９】
従って、本実施の形態における課金処理部１６は、課金する一定期間内においてカウントされた各埋込コードのアクセスカウンタをページ単位に集計する。例えば、図３の管理テーブル１２の数値例に基づくとページＩＤ“Ｐ１”のページに埋め込まれた埋込コード“１０００１”〜“１９００４”の各アクセスカウンタの数を積算すると２００（＝１０２＋１３＋５０＋１５＋２０）であり、ページＩＤ“Ｐ２”のページに埋め込まれた埋込コード“１０００６”〜“１０００８”の各アクセスカウンタの数を積算すると４５（＝２＋１８＋２５）である。一方、ページＩＤ“Ｐ１”のページに広告を掲載したのは、ページ広告主対応テーブル１８から広告主ＩＤが“Ｅ００１”，“Ｅ００３”，“Ｅ１０１”である広告主であることがわかる。同様に、ページＩＤ“Ｐ２”のページに広告を掲載したのは、広告主ＩＤが“Ｅ００６”，“Ｅ０１３”である広告主であることがわかる。従って、課金処理部１６は、各広告主に対してページ単位に積算して得たアクセス総数に比例した広告料を徴収するよう計算することになる。上記例に基づくと、実際の広告料は契約内容等により異なってくるであろうが、ページＩＤ“Ｐ１”のページとページＩＤ“Ｐ２”のページのアクセス総数がそれぞれ２００と４５であることからページＩＤ“Ｐ１”のページに掲載した広告主の広告料の方が高額になる。本実施の形態によれば、以上のようにして電子文書が印刷された場合でも従量課金を行うことができる。
【００３０】
従量課金の場合は、以上のように埋込コードの読取回数をページ単位に積算して得たアクセス総数によって広告料を決定することができる。もちろん、あるユーザが同じページに埋め込まれた複数の埋込コードが埋め込まれた画像を続けてスキャンすることも考えられ、この場合の当該ページに掲載された広告の閲覧は１回と数えた方が正確であるようにも考えられる。ただ、これは、長い間そのページが開かれていたのだからユーザが広告の内容に目を通した可能性が高いと考えることもできる。このように考えると上記の通り読取回数を忠実にカウントすればよい。一方、ユーザが同一ページの埋込コードが埋め込まれた画像を続けてスキャンしたときにはカウントしないようにすることも可能である。これは、クライアント２からサーバ１へ送られる読出要求にユーザＩＤを付加することで対応することができる。
【００３１】
以上の説明では、ページというグループ単位でアクセスカウンタ、つまり埋込コードの読取回数を集計したが、文書及びブックについても同様に処理することができる。すなわち、例えば、印刷物が電子百科事典の場合であって、ある魚を探す際には魚類の章全体をくまなく探すことになると考えられるので、魚類の章のいずれかのページの埋込コードが埋め込まれた画像がスキャンされれば、その他のページの埋込コードが埋め込まれた画像がスキャンされなくても魚類の章の広告はユーザの目に触れた可能性が高くなる。同様に、ある雑誌の複数ページにわたって特集記事が掲載されており、その特集記事のいずれかのページの埋込コードが埋め込まれた画像がスキャンされたとすると、その特集記事は読まれている可能性があるので、埋込コードが埋め込まれた画像がスキャンされなくても特集記事の掲載ページの広告はユーザの目に触れた可能性が高くなる。このように考えると、ページ単位ではなく章、特集記事という文書ＩＤが割り振られる文書単位に埋込コードの読取回数を積算し、その積算値に基づき従量課金を行うことが望ましいとも考えられる。更に、最初のページから最終ページまで通読されるような冊子の場合は、その冊子のいずれかのページの埋込コードが埋め込まれた画像がスキャンされたとすると、その他のページの埋込コードが埋め込まれた画像がスキャンされなくてもその冊子に掲載の広告はユーザの目に触れた可能性が高くなる。従って、本実施の形態では、埋込コードを管理するグループを階層構造とし、電子文書の種別等によって好適なアクセスカウンタを積算するグループ単位を選べるようにした。
【００３２】
しかしながらその一方で、印刷物の広告に対応付けられた埋込コードが埋め込まれた画像がスキャンされたと言うことは、そのスキャンをしたユーザが広告そのものを確実に参照し、そして広告の内容自体に関心を示したことになる。一方、広告以外の要素に対応付けられた埋込コードが埋め込まれた画像がスキャンされたからといって、同一ページに掲載された広告は、視認可能ではあるものの参照されたという保証はない。このように、広告とそれ以外の各要素に対応付けられた埋込コードが埋め込まれた画像の読取回数を差異なく同等に扱うことが妥当でないようにも考えられる。
【００３３】
そこで、本実施の形態においては、広告に対応付けられた埋込コードが埋め込まれた画像の読取回数が広告以外の要素に対応付けられた埋込コードが埋め込まれた画像の読取回数より広告料の計算に反映されるように重み付けを行う。すなわち、前者に対して相対的に広告料が多くなるように予め重み係数を設定しておき、この重み係数に基づき広告料を計算する。これにより、より公平感のある従量課金を実現することができる。
【００３４】
なお、本実施の形態では、広告という要素とそれ以外に分類して重み付けを行うようにしたが、この２段階の重み付けに留まることなく、埋込コードが埋め込まれた画像を対応付ける要素の印刷位置や要素の内容等の指標によって重み付けを多段階に設定するようにすることも可能である。例えば、広告以外の要素に対応付けられた埋込コードが埋め込まれた画像を、広告の印刷位置に側近の場合とそうでない場合とで重みに差を付けてもよいし、文書若しくはブック単位でアクセスカウンタを集計する場合はスキャンされたページとそうでないページとで重みに差を付けてもよい。
【００３５】
以上のように、本実施の形態によれば、埋込コードが埋め込まれた画像の読取回数を収集し保持するようにし、そして、スキャンされた埋込コードが埋め込まれた画像を含んでいるページに掲載された広告はユーザにより見られたものとみなすことで、埋込コードへのアクセス数に基づき従量課金を実現することができる。
【００３６】
なお、本実施の形態では、埋込コードをページ、文書、ブックという各階層グループに対応付けて保持管理するようにした。しかし、複数の階層を設定する必要はなくページのみでもよい。また、各階層グループをページ、文書、ブックとしたが、埋込コードをどのような単位でグループ化するかは、この例に限定されない。
【００３７】
また、本実施の形態では、用紙上における文字等の要素の印刷位置に埋め込んだ埋込コードを参照情報識別コードとして用いた例で説明したが、埋込コード以外のデータ、例えば、バーコードのようなデータコードを情報識別コードとして用いてもよい。
【００３８】
また、本実施の形態における広告課金装置は、サーバに読出機能処理部１４及び課金処理部１６の各処理機能を実現するアプリケーションプログラムを搭載して実現することができるが、このアプリケーションプログラムは、例えば、磁気ディスク、光ディスク、ＣＤ−ＲＯＭ、コンピュータに内蔵されるメモリなどの記録媒体により記憶される。
【００３９】
【発明の効果】
本発明によれば、印刷物に埋め込まれた情報識別コードの読取頻度により、その情報識別コードが埋め込まれているページに掲載の広告の広告料を算出するようにしたので、印刷物に広告を掲載した広告主に対して従量課金を行うことができる。
【図面の簡単な説明】
【図１】本発明に係る広告課金装置が適用されたクライアントサーバシステムの全体構成図である。
【図２】埋込コードが埋め込まれた印刷文書を示した概略図である。
【図３】本発明に係る広告課金装置に相当するサーバを示したブロック構成図である。
【符号の説明】
１  サーバ（広告課金装置）、２  クライアント、３  ＬＡＮ、４  スキャナ、１２  管理テーブル、１４  読出機能処理部、１６  課金処理部、１８  ページ広告主対応テーブル、１９  アクセス管理部。
【図１】
2004355535.tif 000003
【図２】
2004355535.tif 000004
【図３】
2004355535.tif 000005